(57)【要約】【課題】  プランジャーの小型化を図ると、作動時に吸着片とボビン内壁間でカジリが発生し易くなり、また、充分な吸着力が得られない等の課題が生じ、信頼性が高く実用的なプランジャーを得ることが困難であった。【解決手段】  プランジャーをヨーク連結基部のヨーク中心軸上に設けた１箇所の固定孔で機器に回動自在に固定することにより、動作時にはプランジャー自体がレバーと共動して傾くので、ボビン穴内壁と吸着片は常に平行な位置関係に保たれ、カジリの発生によるプランジャーの動作不良が回避できる。また、ヨーク形状を改良することにより永久磁石の磁力を増加させることなくヨーク脚部側の吸着力を増加させることが可能となり、信頼性の高い小型のプランジャーが得られる。【選択図】図１
2005236241.tif 000002
【特許請求の範囲】
【請求項１】
一対の脚部と該脚部を連結する連結基部とを有するヨークと、Ｕ字形状の吸着片と、コイルが巻回された一対のコイルボビンと、ヨーク内側切り欠き部の連結基部寄りの位置に配置された永久磁石から構成され、これら一対のコイルボビン内に各々設けられたボビン穴内に上記ヨークの一対の脚部が装着されると共に、これに対向して上記吸着片の一対の脚部が移動可能に挿入されたプランジャーにおいて、一対のヨーク脚部にそれぞれ設けられた開孔の一方をプランジャーを機器に取り付けるための固定孔として用い、他方の開口はプランジャーが機器に取り付けられた後で前記固定孔を中心に回動可能となるように取り付けピンとの間に間隙が生じるように成形されたことを特徴とするプランジャー。
【発明の詳細な説明】
【技術分野】
【０００１】  本発明は、カメラ、オーディオ機器、ビデオ機器、パソコン等の小型電子機器でＣＤなどの情報記録媒体の出し入れ機構やシャッター機構およびロック機構等に用いられる永久磁石を用いた自己保持型の小型プランジャーに関するものである。
【背景技術】
【０００２】  自己保持型のプランジャーは、ヨーク、吸着片、コイル及び永久磁石からなり、ヨーク、吸着片およびコイルは一体化されて組み立てられた状態で小型電子機器の本体に取り付けられる。一方、吸着片にはピン等を用いてレバーが回動可能な状態で連結されており、吸着片の動きはレバーを介して作動部へと伝達される。
このレバー連結部にはバネ等を利用した負勢力がヨークの吸着力と対向する方向に付与されている。上記の自己保持型プランジャーが保持状態にある時は、ヨークは永久磁石の磁力で吸着片を吸着させてこれを保持した状態を保ち、プランジャーが保持状態から開放状態へと作動する時は、ボビンに巻き回された電磁コイルにパルス電流を流すことにより、永久磁石の磁場と逆方向の磁場を発生させて吸着片を開放させる。【０００３】  図１に示されるプランジャーの該絡断面図においてヨーク１は一対の脚部とこれを連結する連結基部からなり、概略Ｕ字の外観形状を示す。また、ヨーク１はコイルボビン６に一対の脚部が差し込まれた状態で樹脂製のコイルボビン６と固定爪１１で一体化されている。さらに、ヨーク内側切り欠き部の連結基部寄りの位置には永久磁石５が配置され、吸着片８の一対の脚部はコイルボビンの他方の開口部に差し込まれ、磁力によってヨーク脚部に吸着されている。
プランジャーはこの状態で小型電子機器類に取り付けられるが、取り付けはヨークに少なくとも２箇所設けられたプランジャー固定孔を用いてネジ等によりなされる。吸着片８にはレバー取り付け部９が設けられており、吸着片はレバー取り付け部９でピン等によりレバー１０に回動可能な状態で機械的に接続されている。また、保持状態においてレバー取り付け部にはヨークと吸着片に作用する吸着力より小さく、かつ対向する方向にバネ等の負勢力Ｆ１が働いている。【０００４】  プランジャーの作動時には電磁コイルにパルス電流を流すことにより、瞬間的にヨーク脚部に永久磁石の磁力の方向とは逆の方向の磁場を発生させ、吸着片を負勢力Ｆ１によりボビン穴内のヨークから離れる方向に移動させる。レバーを介してこの吸着片の動きが情報記録媒体の出し入れ機構やシャッターの開閉機構またはロック機構等の作動部に伝達され、これらの部位が開状態となる。上記の作動部位に負勢力Ｆ１に対抗する外力を加えて、作動部を開状態から閉状態に戻すと、レバーがプランジャー動作時とは逆の方向に動き、吸着片はヨークの方向に移動する。吸着片に作用する磁力が負勢力Ｆ１より大きくなる位置まで戻されると吸着片はヨークに吸着されプランジャーは保持状態に戻る。【０００５】  こうした小型電子機器類に用いられるプランジャーの従来技術に関わる公知例としては、例えば特開２００１−１３５５２１や特開２０００−２１６０１９の特許文献が知られている。
特開２００１−１３５５２１には外部からプランジャーに衝撃力が加わり、吸着片のスライド方向と直交する外力が吸着片に加わったときでも吸着片がヨークからはずれ難くするための吸着片の形状が開示されており、特開２０００−２１６０１９には同じく外力が作用した時に巻き線端部に断線を起こし難くするためにコイルボビンに係止部を設けたプランジャーが開示されている。こうした従来例のプランジャーでは、機器取り付け後にプランジャーが外力を受けて取り付け位置からズレを起こすと動作不良の原因となるので、少なくとも２箇所で機器に固定されていた。【０００６】
【特許文献１】特開２００１−１３５５２１号公報の図１及び同公報要約
【特許文献２】特開２０００−２１６０１９号公報の図１及び同公報要約
【発明の開示】
【発明が解決しようとする課題】
【０００７】  最近の小型電子機器類では全般に小型化のニーズが強く、プランジャーおよびプランジャーを用いた開閉機構等においても一層の小型化が要請されている。しかし、プランジャーの一層の小型化を検討するにつれて、従来の方法でプランジャーを固定した場合には、今まであまり問題視されなかった吸着片のカジリ等による動作不良が技術的課題として生じることが明らかとなった。【０００８】  吸着片の移動を作動部へ伝達するレバーの軸の方向は、吸着片の移動方向に対して直角に近い角度で配置されるのが通例である。また、レバー取り付け部の動きはレバーの支点を中心とする円周上の移動であるので、プランジャー作動時にレバー取り付け部はプランジャーの中心軸の延長線上からレバーの支点方向に僅かに移動する。
このため、レバーに連結された吸着片は円周の接線方向に僅かに傾いた状態となる。従って、従来の固定方法では、吸着片が機器に固定された状態のボビン穴の内壁により移動の制約を受けているため、吸着片とボビン内壁が接触する可能性が生じる。このため、吸着片とボビン内壁の間には接触を起こさない充分な間隙を設けることが必要であった。【０００９】  上記の理由から、単にプランジャー部材の形状を相似的に小さくすることにより小型化を図ろうとすると、吸着片とボビン内壁の間隙を充分に確保できず、また、充分な吸着片の移動ストロークも確保できない。そこで、吸着片とボビン内壁の間隙のみを大きくすることにより移動ストロークを確保しようとすると、作動時の吸着片の傾きが大きくなり、吸着片のスムーズな移動が困難となる。
また、吸着片の体積が小さくなるため作用する吸着力も低下して、プランジャー動作の信頼性が低下する。さらに、必要以上に間隙を大きくすると外部からの塵埃が入り込み易くなりプランジャー動作の信頼性は一層低下する。【００１０】  このように、プランジャーの小型化においては、吸着片の移動時にボビン穴内壁と吸着片の間に発生するカジリの問題を回避することが大きな課題となる。カジリが発生すると吸着片が移動不能となり、開閉機構等の動きがロックされて動作不良を起こす。また、開閉機構がロックされないまでも、吸着片とボビン間の接触等による摩擦粉が発生し易くなり、摩擦粉が堆積して長期間にプランジャーの動作の信頼性を低下させる原因ともなる。
【課題を解決するための手段】
【００１１】  本発明者は先に特願２００３−１６８９９３において上記の課題を解決するためにヨーク−中心軸上に固定孔を一箇所設けたプランジャーを出願したが、本発明はさらにプランジャーの構造を簡易なものとし、かつ、取り付け側にプランジャー固定のためのピン位置変更の負担を軽減したものであり、請求項１には一対の脚部と該脚部を連結する連結基部とを有するヨークと、Ｕ字形状の吸着片と、コイルが巻回された一対のコイルボビンと、ヨーク内側切り欠き部の連結基部寄りの位置に配置された永久磁石から構成され、これら一対のコイルボビン内に各々設けられたボビン穴内に上記ヨークの一対の脚部が装着されると共に、これに対向して上記吸着片の一対の脚部が移動可能に挿入されたプランジャーにおいて、一対のヨーク脚部にそれぞれ設けられた開孔の一方のみをプランジャーを機器に取り付けるための固定孔として用い、他方の開口はプランジャーが機器に取り付けられた後に前記固定孔を中心に回動可能となるように取り付けピンとの間に間隙が生じるように成形されたことを特徴とするプランジャーが示されている。
【発明の効果】
【００１２】  請求項１の発明によればプランジャーを一対のヨーク脚部にそれぞれ設けられた開孔の一方のみをプランジャーを機器に取り付けるための固定孔として用い、他方の開口はプランジャーが機器に取り付けられた後に前記固定孔を中心に回動可能となるように取り付けピンとの間に間隙が生じるように成形されているので、動作時にはプランジャー自体が一個所の固定孔を中心として回動し、レバーの動きと共動して傾くので、吸着片とボビン内壁は常に平行な位置関係を保ちつつスムーズに移動することができる。従って、ボビン穴内壁と吸着片との接触やカジリによるプランジャーの動作不良発生の問題は解決される。
【発明を実施するための最良の形態】
【００１３】  請求項１に示された構成の小型プランジャーを製作して、その動作確認の試験を実施例１のように行った。
【実施例１】
【００１４】  図１に本発明によるプランジャーをヨーク上面において切断した概略断面を示す。図１においてプランジャーの外寸法は巾８．８ｍｍ、長さ１７．２ｍｍ、厚さ３．５ｍｍである。ヨーク部及び吸着片の厚みは１．６ｍｍであり、吸着片とボビン内壁間の間隙は０．０５ｍｍとなっている。また、一対のヨーク脚部にはそれぞれ１．５ｍｍΦの固定用孔および径を０．４ｍｍ大きくした開口部が設けてある。上記構成のプランジャーに保持力０．２８ＭＪ／ｍ３の永久磁石を取り付けた。この構成で保持状態において吸着片には平均４．５Ｎの保持力が作用し、吸着片の移動ストロークは最大で２．５ｍｍ取ることができる。【００１５】  上記の構成による本発明のプランジャーを１０個作製して、試験台に１箇所の固定孔で固定した後、長さ３０ｍｍのレバーをピンで取り付けた。レバーの支点はレバー中央の位置に設けられ、プランジャーの保持状態で吸着片取り付け部には１Ｎの大きさの負勢力を作用させた。【００１６】  この状態で１０００回のプランジャー開閉動作を行なう動作確認試験を行ったところ、本発明のプランジャーでは全てのサンプルで１０００回の動作確認試験をクリアし、動作不良は全く見られなかった。一方２箇所でプランジャーを完全に固定した場合は試験中に１０個中４個の動作不良が発生した。
【産業上の利用可能性】
【００１７】  以上説明したように、本発明を実施することにより、従来品より小型でも吸着力が大きく長期間の使用においてもカジリ等の発生による動作不良が発生せず、信頼性に優れた高性能のプランジャーを低コストで提供できることが示された。
また、本発明は従来よりも小型に構成された外寸巾が１０ｍｍを下回るような小型のプランジャーに適用された場合に著しい効果を発揮するものであるが、本発明の作用効果はプランジャーの大きさに限定されるものではなく、小型電子機器類に取り付けて用いられるプランジャーに広く適用が可能であり、従来品より高性能で信頼性が高いプランジャーを提供するものである。
【図面の簡単な説明】
【００１８】
【図１】本発明のプランジャーの断面図。
【符号の説明】
【００１９】  １    ヨーク
２    取り付けピン
３    プランジャー固定孔
４    固定孔に使用しない開口
５    永久磁石
６    コイルボビン
７    電磁コイル
８    吸着片
９    レバー取り付け部
１０    レバー
１１    固定爪
１２    プランジャー
【図１】
2005236241.tif 000003